(57)【要約】      （修正有）【課題】シートを横方向にオフセットして仕分けされた状態でシート載置台上に積載し、簡単な構成で、シートの整列性を高めることができる。【解決手段】シートをシート搬送方向に対して一方側へシフトさせながら搬送させて、シートを所定のオフセット位置でシート載置台上に排出するオフセット搬送部２１を備え、オフセット搬送部２１は、シートを搬送する搬送ローラ２５２がピボットを支点に旋回可能である搬送方向補正部２２０と、所定時間だけ搬送ローラ２５２を旋回してシートをシフトさせながら搬送させる作動部と、を有する。【選択図】図３
2018087061.tif 000002
【特許請求の範囲】
【請求項１】
シートを横方向にずれた状態でシート載置台上に積載するシート処理装置であって、
シートをシート搬送方向に対して一方側へシフトさせながら搬送させて、シートを所定のオフセット位置で前記シート載置台上に排出するオフセット搬送部と、
シート搬送方向のシートの位置を揃える第１のシート整列部と、
シート搬送方向に対して直交する向きのシートの位置を揃える第２のシート整列部と、を備え、
前記オフセット搬送部は、
シートを搬送する搬送ローラがピボットを支点に旋回可能である搬送方向補正部と、
所定時間だけ前記搬送ローラを旋回してシートをシフトさせながら搬送させる作動部と、を有することを特徴とするシート処理装置。
【請求項２】
前記オフセット搬送部は、
搬送されるシートを検出するシート検出センサを備え、
前記シート検出センサからのシート検出情報に基づき所定時間だけ前記搬送ローラを旋回してシートをシフトさせながら搬送させることを特徴とする請求項１に記載のシート処理装置。
【請求項３】
前記シート検出センサは、シートの先端または後端の位置を検出し、
シートの先端または後端の位置検出情報に基づき、前記前記搬送ローラを制御し、必要な用紙斜行量と搬送速度でシートをシフトさせながら搬送させることを特徴とする請求項２に記載のシート処理装置。
【請求項４】
前記オフセット搬送部は、
シート搬送方向を基準位置に規制する基準ガイドを有し、
前記搬送ローラを旋回してシートをシフトさせて前記基準ガイドに当接させながら搬送させることを特徴とする請求項１乃至請求項３のいずれか１項に記載のシート処理装置。
【請求項５】
前記オフセット搬送部は、
シート搬送方向に直交する方向に延びる駆動軸が、シート搬送方向に沿って平行に複数個配置され、  
前記複数の駆動軸により前記搬送ローラが回転可能であり、
シート搬送方向前側の駆動軸に設けた前記搬送ローラを旋回可能とし、
シート搬送方向後側の駆動軸に設けた前記搬送ローラを旋回不能とすることを特徴とする請求項１乃至請求項４のいずれか１項に記載のシート処理装置。
【請求項６】
前記オフセット搬送部は、
シート搬送方向に直交する方向に延びる駆動軸が、シート搬送方向に沿って平行に複数個配置され、  
前記複数の駆動軸により前記搬送ローラが回転可能であり、
シート搬送方向前側及び後側の駆動軸に設けた前記搬送ローラを旋回可能とし、
シート搬送方向前側の駆動軸に設けた前記搬送ローラの個数を、
シート搬送方向後側の駆動軸に設けた前記搬送ローラの個数より少なくとも多くしたことを特徴とする請求項１乃至請求項４のいずれか１項に記載のシート処理装置。
【請求項７】
請求項１乃至請求項６のいずれかに記載のシート処理装置を備えたことを特徴とするスタッカー。
【発明の詳細な説明】
【技術分野】
【０００１】
この発明は、シートを横方向にオフセットして仕分けされた状態でシート載置台上に積載するシート処理装置及びこれを備えたスタッカーに関するものである。
【背景技術】
【０００２】
画像形成装置（複写機やプリンタなど）から排出されるシート（主に紙）を、後段での作業を効率良く行うために、１部ごと横方向にオフセットして仕分けされた状態で積載するようにしたオフセットスタッカーが知られている（特許文献１・２参照）。
【０００３】
この種のオフセットスタッカーでは、シートを横方向にずらすために種々のオフセット機構が可能であるが、シートの搬送方向に対して直交する向きにシートをずらす方式では、横方向に移動可能なジョガーによりシートをオフセット位置に向けて押し込むようにした技術が知られている（特許文献１参照）。
【先行技術文献】
【特許文献】
【０００４】
【特許文献１】特開２００３−３１２９３１号公報
【特許文献２】特開２００３−３４１９０８号公報
【発明の概要】
【発明が解決しようとする課題】
【０００５】
しかしながら、前記従来の技術では、ジョガーによりシートをオフセット位置に向けて押し込んだ際に、ジョガーに押されたシートが、既に積載されたシート上を滑るように移動して、オフセット位置からずれてしまうことがあり、これによりシートの整列性が低下する不具合が生じる。
【０００６】
この発明は、このような従来技術の問題点を解消するべく案出されたものであり、その主な目的は、簡単な構成で、シートの整列性を高めることができるように構成されたシート処理装置及びこれを備えたスタッカーを提供することにある。
【課題を解決するための手段】
【０００７】
前記課題を解決し、かつ目的を達成するために、この発明は、以下のように構成した。
【０００８】
請求項１に記載の発明は、シートを横方向にずれた状態でシート載置台上に積載するシート処理装置であって、
シートをシート搬送方向に対して一方側へシフトさせながら搬送させて、シートを所定のオフセット位置で前記シート載置台上に排出するオフセット搬送部と、
シート搬送方向のシートの位置を揃える第１のシート整列部と、
シート搬送方向に対して直交する向きのシートの位置を揃える第２のシート整列部と、を備え、
前記オフセット搬送部は、
シートを搬送する搬送ローラがピボットを支点に旋回可能である搬送方向補正部と、
所定時間だけ前記搬送ローラを旋回してシートをシフトさせながら搬送させる作動部と、を有することを特徴とするシート処理装置である。
【０００９】
請求項２に記載の発明は、前記オフセット搬送部は、
搬送されるシートを検出するシート検出センサを備え、
前記シート検出センサからのシート検出情報に基づき所定時間だけ前記搬送ローラを旋回してシートをシフトさせながら搬送させることを特徴とする請求項１に記載のシート処理装置である。
【００１０】
請求項３に記載の発明は、前記シート検出センサは、シートの先端または後端の位置を検出し、
シートの先端または後端の位置検出情報に基づき、前記前記搬送ローラを制御し、必要な用紙斜行量と搬送速度でシートをシフトさせながら搬送させることを特徴とする請求項２に記載のシート処理装置である。
【００１１】
請求項４に記載の発明は、前記オフセット搬送部は、
シート搬送方向を基準位置に規制する基準ガイドを有し、
前記搬送ローラを旋回してシートをシフトさせて前記基準ガイドに当接させながら搬送させることを特徴とする請求項１乃至請求項３のいずれか１項に記載のシート処理装置である。
【００１２】
請求項５に記載の発明は、前記オフセット搬送部は、
シート搬送方向に直交する方向に延びる駆動軸が、シート搬送方向に沿って平行に複数個配置され、  
前記複数の駆動軸により前記搬送ローラが回転可能であり、
シート搬送方向前側の駆動軸に設けた前記搬送ローラを旋回可能とし、
シート搬送方向後側の駆動軸に設けた前記搬送ローラを旋回不能とすることを特徴とする請求項１乃至請求項４のいずれか１項に記載のシート処理装置である。
【００１３】
請求項６に記載の発明は、前記オフセット搬送部は、
シート搬送方向に直交する方向に延びる駆動軸が、シート搬送方向に沿って平行に複数個配置され、  
前記複数の駆動軸により前記搬送ローラが回転可能であり、
シート搬送方向前側及び後側の駆動軸に設けた前記搬送ローラを旋回可能とし、
シート搬送方向前側の駆動軸に設けた前記搬送ローラの個数を、
シート搬送方向後側の駆動軸に設けた前記搬送ローラの個数より少なくとも多くしたことを特徴とする請求項１乃至請求項４のいずれか１項に記載のシート処理装置である。
【００１４】
請求項７に記載の発明は、請求項１乃至請求項６のいずれかに記載のシート処理装置を備えたことを特徴とするスタッカーである。
【発明の効果】
【００１５】
請求項１乃至請求項６に記載の発明では、シートを搬送する搬送ローラがピボットを支点に旋回可能であり、所定時間だけ搬送ローラを旋回してシートをシフトさせながら搬送させることで、簡単な構成で、シートの整列性を高めることができる。
【００１６】
請求項７に記載の発明は、請求項１乃至請求項６のいずれかに記載のシート処理装置を備え、シートを横方向にオフセットして仕分けされた状態でシート載置台上に積載することができる。
【図面の簡単な説明】
【００１７】
【図１】この発明が適用されたスタッカーを示す全体構成図である。
【図２】シート処理部を詳しく示す正面図である。
【図３】オフセット搬送部を示す平面図である。
【図４】オフセット搬送部を示す概略斜視図である。
【図５】揃え部の分解斜視図である。
【図６】搬送ローラの旋回を示す平面図である。
【図７】シートがずれて搬送されることを補正する平面図である。
【図８】他の実施の形態の用紙がずれて搬送されることを補正する平面図である。
【図９】第１のシート整列部を示す上面図である。
【図１０】第２のシート整列部を示す上面図である。
【図１１】シート処理部の動作を段階的に示す側面図である。
【図１２】シート処理部の動作を段階的に示す側面図である。
【発明を実施するための形態】
【００１８】
以下、この発明のシート処理装置及びこれを備えたスタッカーの実施の形態について説明する。この発明の実施の形態は、発明の最も好ましい形態を示すものであり、この発明はこれに限定されない。
【００１９】
（シート処理装置を備えたスタッカーの構成）
図１は、この発明が適用されたスタッカーを示す全体構成図である。このスタッカー１は、オンデマンド印刷などに用いられるものであり、側方に併設された複写機等の画像形成装置２から排出されたシート（主に紙）Ｓがスタックトレイ（シート載置台）３上に積載され、このスタックトレイ３上のシートＳの束をスタックトレイ３と共に台車４に搭載して搬出することができるようになっている。
【００２０】
このスタッカー１には、スタックモードが選択された場合に、シートＳを整列された状態でスタックトレイ３上に積載するシート処理部（シート処理装置）５が設けられており、画像形成装置２から送り込まれたシートＳが、シート搬送路Ｌ１を通ってシート処理部５に導かれる。
【００２１】
スタックモードには、単純スタックモードと、オフセットスタックモードとがあり、単純スタックモードでは、シートＳがスタックトレイ３上の同位置に揃えて積載され、オフセットスタックモードでは、シートＳが１部ごとにシート搬送方向に対して直交する前後方向（図１では紙面に直交する方向）にオフセットして仕分けされた状態でスタックトレイ３上に積載される。
【００２２】
このスタッカー１では、スタックモードの他に、トップパス排出モード、及びバイパスモードの各動作モードを選択することができ、トップパス排出モードでは、シートＳがシート搬送路Ｌ２を通って上部トレイ６上に排出され、バイパスモードでは、シートＳがシート搬送路Ｌ３を通って外部に排出され、このスタッカー１の後段に備えられた別のスタッカー等の装置に導かれる。
【００２３】
また、このスタッカー１は、積載されたシートＳの枚数に応じて適切な高さ位置にスタックトレイ３を昇降移動させるトレイ昇降機構１１を備えており、スタックトレイ３上に積載されたシートＳの枚数をカウントして、それに基づいてエレベータ１２を所定距離ずつ降下させることにより、シート搬送路Ｌ１を通って排出されるシートＳを円滑に受入可能な高さ位置にスタックトレイ３が保持される。
【００２４】
（シート処理部（シート処理装置）の構成）
図２は、図１に示したシート処理部５を詳しく示す正面図である。このシート処理部５は、シートＳをシート搬送方向に対して直交する前後方向にずらしてスタックトレイ３上に排出するオフセット搬送部２１と、シート搬送方向のシートＳの位置を揃える第１のシート整列部２２と、シート搬送方向に対して直交する向きのシートＳの位置を揃える第２のシート整列部２３とを有している。
【００２５】
［オフセット搬送部の構成］
オフセット搬送部２１は、シートをシート搬送方向に対して一方側へシフトさせながら搬送させて、シートを所定のオフセット位置でシート載置台上に排出する構成であり、実施の形態１を、図３乃至図６に基づいて説明する。
【００２６】
オフセット搬送部２１は、基準ガイド２１０と、搬送方向補正部２２０と、作動部２３０と、を有する。基準ガイド２１０は、図３に示すように、搬送路の一方側において搬送路に沿って配置され、ステイプラー２０７に対応した位置であり、基準ガイド２１０は、シート搬送方向を基準位置に規制する。搬送方向補正部２２０は、図４乃至図６に示すように、駆動軸２５３にピボット２２１を固定し、シートを搬送させる搬送ローラ２５２が左右のローラハブ２２２ａ，２２２ｂを介してピボット２２１を支点に旋回可能に設けられている。左右のローラハブ２２２ａ，２２２ｂは、異なる形状に形成されており、この左右のローラハブ２２２ａ，２２２ｂを組み付けて搬送ローラ２５２を保持するように構成される。ピボット２２１に形成された係合溝２２１ａにローラハブ２２２ａに形成された係合ボス２２２ａ１を係合し、駆動軸２５３の回転力を、ピボット２２１、左右のローラハブ２２２ａ，２２２ｂを介して搬送ローラ２５２に伝達し、かつ搬送ローラ２５２がピボット２２１を支点に旋回可能に構成される。
【００２７】
駆動軸２５３は、シート搬送方向に直交する方向に延び、この駆動軸２５３は、シート搬送方向に沿って複数の２箇所に平行に配置され、１箇所は搬送路の中央側であり、１箇所は搬出側である。中央側の駆動軸２５３には、２箇所に搬送方向補正部２２０が設けられ、搬出側の駆動軸２５３には、４箇所に搬送方向補正部２２０が設けられている。作動部２３０は、中央側の駆動軸２５３と搬出側の駆動軸２５３の軸方向に移動可能に配置された一対の作動プレート２３１と、一対の作動プレート２３１のラック２３１ａに噛み合うピニオン２３２と、ピニオン２３２を駆動する駆動モータ２３３を有する。一対の作動プレート２３１には、ローラホルダ２３４が搬送方向補正部２２０に対応して設けられ、ローラホルダ２３４に左右のローラハブ２２２が組み付けられている。
【００２８】
駆動モータ２３３の駆動によりピニオン２３２が回転し、一対の作動プレート２３１がそれぞれ逆方向に移動し、ローラホルダ２３４を介して搬送方向補正部２２０が搬送ローラ２５２を、ピボット２２２を支点に旋回させる。作動プレート２３１には、搬送ローラ２５２のホームセンサＳ１が設けられ、搬送ローラ２５２が旋回しない位置をホームポジションとし、このホームポジション情報を制御手段２４０に送る。
【００２９】
制御手段２４０は、駆動手段２４１を制御し、駆動軸２５３を介して搬送ローラ２５２を回転してシートを搬送する。この制御手段２４０には、シート検出センサＳ２からシート検出情報が送られ、シート検出情報は、例えばシートの先端または後端の位置情報である。制御手段２４０は、シート検出センサＳ２で検出したシートの先端または後端の位置情報に基づき、駆動モータ２３３を制御し、必要な用紙斜行量と搬送速度とで、搬送方向補正部２２０を所定時間だけ搬送ローラ２５２を旋回してシートをシフトさせて基準ガイド２１０に当接させながら搬送させる。
【００３０】
このように、シート検出センサＳ２で検知後、所定時間だけ搬送ローラ２５２を旋回させてシートをシフトさせて基準ガイド２１０にあてながら搬送させることで、シートのパンチ穴位置を揃えることができ、スティプル精度が向上する。また、シートの搬送中にシートを、所定の距離だけシフトさせてシートを所定のオフセット位置でシート載置台３上に排出することができ、シート搬送方向に対して直交する向きのシートＳの位置を揃える第２のシート整列部２３の移動距離を最短にし、シート揃え時間を短縮させることができ、生産性も向上する。
【００３１】
また、シート搬送方向に直交する方向に延びる駆動軸２５３が、シート搬送方向に沿って平行に複数個配置され、複数の駆動軸２５３により搬送ローラ２５２が回転可能であり、搬送されるシートを確実にシフトさせて基準ガイド２１０にあてながら搬送させることができる。
【００３２】
また、シート搬送方向に沿って前側に配置された駆動軸２５３の搬送ローラ２５２の個数を、シート搬送方向に沿って後側に配置された駆動軸２５３の搬送ローラ２５２の個数を同じでもよいが、実施の形態２の図７に示すように、少なくとも多くしたことで、シート搬送方向前側にシフトさせる力が大きく作用し、搬送されるシートを確実にシフトさせて基準ガイド２１０にあてながら搬送させることができる。
【００３３】
また、実施の形態３の図８に示すように、シート搬送方向前側の駆動軸２５３に設けた搬送ローラ２５２を旋回可能とし、シート搬送方向後側の駆動軸２５３に設けた搬送ローラ２５２を旋回不能としてもよく、前側だけの搬送ローラ２５２による簡単な構成で、搬送されるシートを確実にシフトさせて基準ガイド２１０にあてながら搬送させることができる。
【００３４】
オフセット搬送部２１の出口側下方には、パドル３６が設けられており、このパドル３６は、スタックトレイ３上に排出されるシートＳの後端部を叩いて下方に押し付ける。
【００３５】
スタックトレイ３の上方には、上端を回動可能に支持されてスタックトレイ３上のシートＳにより上向きに押圧されるアクチュエータ４１と、このアクチュエータ４１の動きを検出するセンサ４２が設けられており、オフセット搬送部２１の出口側下方には、下端を回動可能に支持されてスタックトレイ３上のシートＳにより横向きに押圧されるアクチュエータ４３と、このアクチュエータ４３の動きを検出するセンサ４４が設けられており、これらのセンサ４２・４４の検出信号及びスタックトレイ３の昇降位置に基づいて、スタックトレイ３上のシートＳの有無およびシートＳのスタック高さを検知することができる。
【００３６】
［第１のシート整列部の構成］
図９は、図２に示した第１のシート整列部２２を示す上面図である。第１のシート整列部２２は、シート搬送方向のシートＳの位置を揃えるものであり、オフセット搬送部２１からスタックトレイ３上に排出されたシートＳの先端部を規制するストッパ７１と、このストッパ７１の位置を調整する駆動部７２とを有している。
【００３７】
ストッパ７１は、図２に示すように、支持体７３に連結されたベース体７４のガイド部７５に上下動可能に嵌合する軸部７６を備え、ベース体７４に昇降可能に保持されており、自重により降下してスタックトレイ３あるいはその上に積載されたシートＳに当接し、例えば大サイズのシートＳに続けて小サイズのシートＳを積載する際には、トレイ昇降機構１１（図１参照）によりエレベータ１２を降下させてストッパ７１をシートＳの上面から離した上で、小サイズのシートＳに対応する位置に移動させた後に、エレベータ１２を上昇させると、スタックトレイ３上のシートＳにストッパ７１が当接して押し上げられ、大サイズのシート上に続けて積載される小サイズのシートの位置を揃えることができる。
【００３８】
図９に示したように、駆動部７２は、ストッパ７１のシート搬送方向の位置を調整するためにストッパ７１の支持体７３をシート搬送方向に移動させるものであり、モータ８１と、プーリ８２〜８４と、このプーリ８２〜８４に巻き掛けられたベルト８５と、モータ８１の出力軸とプーリ８２との間に介装された減速ギア８６〜８８とを有している。
【００３９】
ストッパ７１の支持体７３は、ベルト８５と連結されると共に、固定フレーム８０においてシート排出方向に沿う向きに延設されたガイド孔８９に沿って摺動可能なスライダ９０を備えており、モータ８１の正転・逆転に応じて、支持体７３がガイド孔８９に案内されつつ横方向に移動し、これに伴ってストッパ７１がシート搬送方向に移動して、ストッパ７１の位置が調整される。
【００４０】
［第２のシート整列部の構成］
図１０は、図２に示した第２のシート整列部２３を示す上面図である。第２のシート整列部２３は、シート搬送方向に対して直交する向きのシートＳの位置を揃えるものであり、シートＳをオフセット位置に向けて押し込むフロント側及びリア側のジョガー１０１・１０２と、このジョガー１０１・１０２でシートＳを押し込む際に、ジョガー１０１・１０２と相反する側のシートＳの端部に当接してそのシートＳをオフセット位置に規制するフロント側及びリア側のシートフェンス１０３・１０４と、ジョガー１０１・１０２の各々に互いに独立した押し込み動作を行わせる駆動部１０５・１０６とを有している。
【００４１】
フロント側及びリア側のジョガー１０１・１０２の各々は、フロント側及びリア側の支持体１０７・１０８にそれぞれ支持されている。フロント側及びリア側のシートフェンス１０３・１０４の各々は、ジョガー１０１・１０２の内側に配置され、フロント側及びリア側の支持体１０７・１０８にそれぞれ支持されており、ジョガー１０１・１０２の押し込み動作に連動してジョガー１０１・１０２と一体的に横方向に移動する。
【００４２】
シートフェンス１０３・１０４は、図２に示すように、上端部１１１を支軸１１２周りに回動可能に支持体１０７・１０８に支持され、シート搬送方向の下流側に向けて斜め下向きに延出された傾斜部１１４を有し、先端部１１３は円弧状に湾曲形成されており、このシートフェンス１０３・１０４がオフセット搬送部２１からスタックトレイ３上に送り出されるシートＳと干渉する位置にある場合には、オフセット搬送部２１からシートＳが送り込まれるのに応じて、そのシートに傾斜部１１４が押されてシートフェンス１０３・１０４が上方に回動して、シートＳの動きを阻害しないようになっている。
【００４３】
図１０に示すように、フロント側の駆動部１０５は、ラックアンドピニオン方式による直動機構によりジョガー１０１にシート排出方向に対して直交する前後方向の押し込み動作を行わせるものであり、モータ１２１と、側縁にラックが形成されたラック部材１２２と、このラック部材１２２のラックに歯合するピニオン１２３と、モータ１２１の出力軸とピニオン１２３との間に介装された減速ギア１２４〜１２７とを有している。
【００４４】
ラック部材１２２は、支持体１０７と連結されると共に、固定フレーム１２０においてシート排出方向に対して直交する向きに延設されたガイド孔１２８に沿って摺動可能なスライダ１２９を備えており、モータ１２１の正転・逆転に応じて、ラック部材１２２及び支持体１０７がガイド孔１２８に案内されつつ移動し、これに伴ってジョガー１０１がシート搬送方向に対して直交する向きに移動する押し込み動作を行う。
【００４５】
リア側の駆動部１０６も、フロント側と同様に、ラックアンドピニオン方式による直動機構によりジョガー１０２にシート排出方向に対して直交する前後方向の押し込み動作を行わせるものであり、モータ１３１と、側縁にラックが形成されたラック部材１３２と、このラック部材１３２のラックに歯合するピニオン１３３と、モータ１３１の出力軸とピニオン１３３との間に介装された減速ギア１３４〜１３７とを有している。            
【００４６】
ラック部材１３２は、支持体１０８と連結されると共に、固定フレーム１２０においてシート排出方向に対して直交する向きに延設されたガイド孔１３８に沿って摺動可能なスライダ１３９を備えており、モータ１３１の正転・逆転に応じて、ラック部材１３２及び支持体１０８がガイド孔１３８に案内されつつ移動し、これに伴ってジョガー１０２がシート搬送方向に対して直交する向きに移動する押し込み動作を行う。
【００４７】
フロント側のラック部材１２２の近傍には、そのラック部材１２２の位置を検知するセンサ１４１が設けられており、このセンサ１４１の検知結果及びモータ１２１の動作量に基づいてフロント側のジョガー１０１の位置が調整される。また、これと同様に、リア側のラック部材１３２の近傍には、そのラック部材１３２の位置を検知するセンサ１４２が設けられており、このセンサ１４２の検知結果及びモータ１３１の動作量に基づいてリア側のジョガー１０２の位置が調整される。
【００４８】
（シート処理部の動作）
図１１及び図１２は、図２に示したシート処理部５の動作を段階的に示す側面図であり、図１１に、シートＳをフロント側にオフセットする場合を、図１２に、シートＳをリア側にオフセットする場合をそれぞれ示している。
【００４９】
シートＳをフロント側にオフセットする場合には、まず図１１（Ａ）に示すように、画像形成装置から送り込まれたシートＳを、オフセット搬送部２１が受け取る。このとき、フロント側のジョガー１０１及びシートフェンス１０３は、最端の定位置で待機し、リア側のジョガー１０２及びシートフェンス１０４は、そのシートフェンス１０４がシートＳをフロント側のオフセット位置に規制する位置で待機する。
【００５０】
ついで、オフセット搬送部２１のシート検出センサＳ２によりシートの通過が検出され、このシート検出情報に基づき、搬送方向補正部２２０により所定時間だけ搬送ローラ２５２を旋回してシートをシフトさせながら搬送させる。図１１（Ｂ）に示すように、シートＳがオフセット位置よりさらに外側にずれた状態でスタックトレイ３上に排出される。このとき、シートＳはフロント側のシートフェンス１０３の下側に入り込んでそのシートフェンス１０３を押し上げ、シートフェンス１０３はシートＳの上面に当接した状態となる。
【００５１】
次に、フロント側のジョガー１０１に内側に所定距離（１０ｍｍ）移動する整列動作を行わせる。これにより、図１１（Ｃ）に示すように、フロント側のジョガー１０１が、シートＳの端部に当接してそのシートＳをオフセット位置に向けて押し込み、リア側のシートフェンス１０４がシートＳの端部に当接してそのシートＳをオフセット位置に規制する。これにより、シートＳは滑ることなく確実にオフセット位置に停止される。このとき、フロント側のシートフェンス１０３は、ジョガー１０１と連動して内向きに移動するが、シートＳの上面を摺動するため、ジョガー１０１の押し込み動作を阻害しない。
【００５２】
一方、シートＳをリア側にオフセットする場合には、前記のフロント側の場合と同様な手順で逆方向に動作させれば良く、図１２（Ａ）に示すように、画像形成装置から送り込まれたシートＳを、オフセット搬送部２１が受け取る。オフセット搬送部２１のシート検出センサＳ２によりシートの通過が検出され、このシート検出情報に基づき、搬送方向補正部２２０により所定時間だけ搬送ローラ２５２を旋回してシートをシフトさせながら搬送させる。図１２（Ｂ）に示すように、リア側のジョガー１０２を内向きに所定距離（１０ｍｍ）移動させてシートＳをオフセット位置に向けて押し込み、これにより、図１２（Ｃ）に示すように、シートＳがリア側のオフセット位置で整列する。
【００５３】
なお、シートＳをスタックトレイ３上の同位置に揃えて積載する単純スタックモードでは、図１１の例と同様の手順で、全てのシートＳをフロント側のオフセット位置に揃えるようにすれば良い。
【産業上の利用可能性】
【００５４】
この発明は、シートを横方向にオフセットして仕分けされた状態でシート載置台上に積載するシート処理装置及びこれを備えたスタッカーに適用され、簡単な構成で、シートの整列性を高めることができる。
【符号の説明】
【００５５】
１    スタッカー
２    画像形成装置
３    スタックトレイ（シート載置台）
５    シート処理部（シート処理装置）
２１    オフセット搬送部
２２    第１のシート整列部
２３    第２のシート整列部
３１    出口ローラ
３２    ピンチローラ
１０１・１０２    ジョガー
１０３・１０４    シートフェンス
１０５・１０６    駆動部
１０７・１０８    支持体
１１１    上端部
１１２    支軸
１１３    先端部
１１４    傾斜部
Ｓ    シート
２１０  基準ガイド
２２０  搬送方向補正部
２２１  ピボット
２２２  ローラハブ
２３０  作動部
２３１  作動プレート
２３２  ピニオン
２３３  駆動モータ
２３４  ローラホルダ
２４０  制御手段
２４１  駆動手段
２５０  下側搬送ガイド
２５１  上側搬送ガイド
２５２  搬送ローラ
２５３  駆動軸
２５４  フリーローラ
２５５  支持軸
【図１】
2018087061.tif 000003
【図２】
2018087061.tif 000004
【図３】
2018087061.tif 000005
【図４】
2018087061.tif 000006
【図５】
2018087061.tif 000007
【図６】
2018087061.tif 000008
【図７】
2018087061.tif 000009
【図８】
2018087061.tif 000010
【図９】
2018087061.tif 000011
【図１０】
2018087061.tif 000012
【図１１】
2018087061.tif 000013
【図１２】
2018087061.tif 000014